(57)【要約】【課題】安価な構成によって携帯型電子機器の落下を確実に検出する。【解決手段】ハードディスクを搭載した携帯型電子機器、例えば、携帯型のオーディオプレーヤー１０であって、ハードディスク５０が搭載された機器本体部４０と、上記機器本体部に接続されるヘッドフォン２０と、上記ヘッドフォンと機器本体部との接続の有無を検出する検出手段（ＣＰＵ）４３ａと、上記ハードディスクのヘッドを退避させる退避手段（ＣＰＵ）４３ａとを備え、上記検出手段がヘッドフォンの機器本体部との接続が無くなったことを検出したときに上記退避手段がハードディスクのヘッド５３を磁気ディスク５１の記録面５１ａに衝突しない状態に退避させる。【選択図】図１
2005044435.tif 000002
【特許請求の範囲】
【請求項１】
ハードディスクを搭載した携帯型電子機器であって、
ハードディスクが搭載された機器本体部と、
上記機器本体部に接続されるヘッドフォンと、
上記ヘッドフォンと機器本体部との接続の有無を検出する検出手段と、
上記ハードディスクのヘッドを退避させる退避手段とを備え、
上記検出手段がヘッドフォンの機器本体部との接続が無くなったことを検出したときに上記退避手段がハードディスクのヘッドを磁気ディスクの記録面に衝突しない状態に退避させる
ことを特徴とする携帯型電子機器。
【請求項２】
上記ヘッドフォンは機器本体部を遠隔操作するリモートコントロール装置を介して機器本体部に接続され、
上記リモートコントロール装置の機器本体部からの脱落又はヘッドフォンのリモートコントロール装置からの脱落の何れかを検知したときにヘッドフォンの機器本体部との接続が無くなったと判断する
ことを特徴とする請求項１に記載の携帯型電子機器。
【請求項３】
ヘッドフォンを機器本体部に接続するための接続コードを使用者の衣服等に取り付けるための取付手段と、
上記取付手段の衣服等からの脱落を検出する脱落検出手段とを備え、
上記脱落検出手段が取付手段の衣服等からの脱落を検出したときに、上記退避手段がハードディスクのヘッドを磁気ディスクの記録面に衝突しない状態に退避させる
ことを特徴とする請求項１に記載の携帯型電子機器。
【請求項４】
上記リモートコントロール装置を使用者の衣服等に取り付けるための取付手段と、
上記取付手段の衣服等からの脱落を検出する脱落検出手段とを備え、
上記脱落検出手段が取付手段の衣服等からの脱落を検出したときに、上記退避手段がハードディスクのヘッドを磁気ディスクの記録面に衝突しない状態に退避させる
ことを特徴とする請求項２に記載の携帯型電子機器。
【請求項５】
上記退避手段は、上記検知手段がヘッドフォンの機器本体部との接続が無くなったことを検出してから１秒乃至２秒の間ハードディスクのヘッドを磁気ディスクの記録面に衝突しない状態に退避させた後該退避を解除する
ことを特徴とする請求項１に記載の携帯型電子機器。
【請求項６】
上記退避手段は、上記検知手段がヘッドフォンの機器本体部との接続が無くなったことを検出してから１秒乃至２秒の間ハードディスクのヘッドを磁気ディスクの記録面に衝突しない状態に退避させた後該退避を解除する
ことを特徴とする請求項２に記載の携帯型電子機器。
【請求項７】
上記退避手段は、上記検知手段がヘッドフォンの機器本体部との接続が無くなったことを検出してから１秒乃至２秒の間ハードディスクのヘッドを磁気ディスクの記録面に衝突しない状態に退避させた後該退避を解除する
ことを特徴とする請求項３に記載の携帯型電子機器。
【請求項８】
上記退避手段は、上記検知手段がヘッドフォンの機器本体部との接続が無くなったことを検出してから１秒乃至２秒の間ハードディスクのヘッドを磁気ディスクの記録面に衝突しない状態に退避させた後該退避を解除する
ことを特徴とする請求項４に記載の携帯型電子機器。
【発明の詳細な説明】
【技術分野】
【０００１】
本発明は新規な形態型電子機器に関する。詳しくは、ハードディスクを搭載した携帯型電子機器において、簡易な構成によって落下によるハードディスクの致命的な損傷を防止する技術に関する。
【背景技術】
【０００２】
ハードディスクの小型化、高記録密度化によって、小型軽量で大容量のハードディスクが出現し、携帯型電子機器へのハードディスクの採用が為されるようになってきた。
【０００３】
ところで、ハードディスクは極めて衝撃に弱いものである。特に、作動中、すなわち、磁気ディスクに対する信号の書き込みや読み出しを行っている最中の衝撃はヘッドを磁気ディスクに激しく衝突させる惧がある。そのため、非作動中、すなわち、ヘッドが磁気ディスクの記録面と対向していない状態では１０００Ｇ（重力加速度）に耐えうるものが、作動中は２００Ｇくらいでヘッドや磁気ディスクの破損が生じる。
【０００４】
そこで、ハードディスクを搭載した機器において、机上等から落下した場合には、地面や床面に衝突する前に、ヘッドを退避させて、地面や床面に衝突するときには大きな衝撃に耐えうるようにする技術が特許文献１等によって提案されている。
【０００５】
すなわち、特許文献１には、ハードディスクを搭載した機器に互いに直交する方向の加速度を検出する３個の加速度センサを設け、これら加速度センサの出力を演算して当該機器が落下状態にあるか否かの判断を行い、落下状態にあると判断した場合には先端部にヘッドを有するスライダを磁気ディスクの記録／再生領域から待避させ、ヘッドと磁気ディスクとの衝突を回避するようにした技術が示されている。
【０００６】
しかしながら、加速度センサは高価であり、しかも、その加速度センサを３個も使用することは、当該機器のコストを上昇させることになる。
【０００７】
また、加速度センサには落下時だけでなく、いろいろの場面で１Ｇ以外の出力が出る。例えば、落下が自由落下のみであれば、３つの加速度センサの合成ベクトルが０Ｇ又はそれに近い値を示す場合を落下と判断すればよいが、携帯型の電子機器の場合、使用者の歩行、走行、手で持って振り回す、等々様々の場面で１Ｇ以外の出力が出ることになり、その都度、スライダ（ヘッド）を待避させていたのでは、使い勝手が極めて悪いものになってしまう。そのため、真にヘッドの待避が必要なときだけヘッドを待避させるためには、３つの加速度センサの出力の複雑な演算、判断基準の作成、判断手順の作成が必要であり、これらの達成のために投下する資本、人員、専用ＩＣ（Integrated Circuit）等の部品コスト等によって、高価なものとなってしまう。
【０００８】
【特許文献１】特開平１１−４５５３０号公報
【発明の開示】
【発明が解決しようとする課題】
【０００９】
本発明が解決しようとする課題は、安価な構成によって携帯型電子機器の落下を確実に検出することにある。
【課題を解決するための手段】
【００１０】
本発明携帯型電子機器は、ハードディスクを搭載した携帯型電子機器であって、ハードディスクが搭載された機器本体部と、上記機器本体部に接続されるヘッドフォンと、上記ヘッドフォンと機器本体部との接続の有無を検出する検出手段と、上記ハードディスクのヘッドを退避させる退避手段とを備え、上記検出手段がヘッドフォンの機器本体部との接続が無くなったことを検出したときに上記退避手段がハードディスクのヘッドを磁気ディスクの記録面に衝突しない状態に退避させることを特徴とする。
【００１１】
請求項２に記載した発明は、請求項１に記載の携帯型電子機器において、上記ヘッドフォンは機器本体部を遠隔操作するリモートコントロール装置を介して機器本体部に接続され、上記リモートコントロール装置の機器本体部からの脱落又はヘッドフォンのリモートコントロール装置からの脱落の何れかを検知したときにヘッドフォンの機器本体部との接続が無くなったと判断することを特徴とする。
【００１２】
請求項３に記載した発明は、請求項１に記載の携帯型電子機器において、ヘッドフォンを機器本体部に接続するための接続コードを使用者の衣服等に取り付けるための取付手段と、上記取付手段の衣服等からの脱落を検出する脱落検出手段とを備え、上記脱落検出手段が取付手段の衣服等からの脱落を検出したときに、上記退避手段がハードディスクのヘッドを磁気ディスクの記録面に衝突しない状態に退避させることを特徴とする。
【００１３】
請求項４に記載した発明は、請求項１に記載の携帯型電子機器において、上記リモートコントロール装置を使用者の衣服等に取り付けるための取付手段と、上記取付手段の衣服等からの脱落を検出する脱落検出手段とを備え、上記脱落検出手段が取付手段の衣服等からの脱落を検出したときに、上記退避手段がハードディスクのヘッドを磁気ディスクの記録面に衝突しない状態に退避させることを特徴とする。
【００１４】
請求項５乃至８に記載した発明は、請求項１、請求項２、請求項３又は請求項４に記載の携帯型電子機器において、上記退避手段は、上記検知手段がヘッドフォンの機器本体部との接続が無くなったことを検出してから１秒乃至２秒の間ハードディスクのヘッドを磁気ディスクの記録面に衝突しない状態に退避させた後該退避を解除することを特徴とする。
【発明の効果】
【００１５】
本発明携帯型電子機器にあっては、機器本体部とヘッドフォンとの間の接続が無くなると、ハードディスクのヘッドが磁気ディスクの記録面に衝突しない状態に退避される。そのため、機器本体部を落下させた場合、機器本体部が地面や床面に衝突する前には必ずヘッドフォンと機器本体部との間の接続が無くなるので、機器本体部が地面や床面に衝突するときには、ヘッドが待避された状態になっているため、ヘッドと磁気ヘッドとの衝突が避けられ、ハードディスクの深刻な損傷が回避される。
【００１６】
請求項２に記載した発明にあっては、ヘッドフォンをリモートコントロール装置を介して機器本体部に接続している場合、機器本体部を落下させた場合、機器本体部が地面や床面に衝突する前には、必ずリーモートコントロール装置が機器本体部から又はヘッドフォンがリモートコントロール装置から、脱落するので、機器本体部が地面や床面に衝突するときには、ヘッドが待避された状態になっているため、ヘッドと磁気ヘッドとの衝突が避けられ、ハードディスクの深刻な損傷が回避される。
【００１７】
請求項３及び請求項４に記載した発明にあっては、取付手段を使用者の衣服等に取り付けていた場合、機器本体部を落下させた場合、該取付手段が衣服等からの脱落したときには、機器本体部が地面や床面に衝突するときには、ヘッドが待避された状態になっているため、ヘッドと磁気ヘッドとの衝突が避けられ、ハードディスクの深刻な損傷が回避される。
【００１８】
請求項５乃至請求項８に記載した発明にあっては、ハードディスクのヘッドが待避した後１秒乃至２秒の間にヘッドの待避が解除されるので、例えば、使用者がリモートコントロール装置を操作するために取付手段を衣服等から取り外した場合でも、ヘッドによって磁気ディスクから予め先読みしておいた情報をヘッドの待避中に再生することによって、再生の中断が回避され、使用者に違和感を与えることがない。
【発明を実施するための最良の形態】
【００１９】
以下に、本発明携帯型電子機器を実施するための最良の形態について添付図面を参照して説明する。なお、図示した実施の形態は、本発明を携帯型のオーディオプレーヤーに適用したものであり、該オーディオプレーヤー１０はヘッドホン２０をリモートコントロール装置３０を介して機器本体部４０に接続するものである。
【００２０】
機器本体部４０は筐体４１内にハードディスク５０を備えていて、該ハードディスク５０に音声情報、例えば、音楽情報を記憶してあり、ハードディスク５０から音声情報を読み出してそれをヘッドフォン２０に出力するようになっている。
【００２１】
ヘッドフォン２０はリモートコントロール装置３０を介して機器本体部４０に接続されるようになっており、リモートコントロール装置３０は筐体３１から導出されたコード３２の先端に設けられたコネクタ３３が機器本体部４０の筐体４１内に設けられたヘッドフォンリモコンインターフェース４２に接続された図示しないコネクタに嵌挿されることによって機器本体部４０と接続される。リモートコントロール装置３０の筐体３１にはヘッドフォン２０を接続するためのジャック３４が設けられており、該ジャック３４にヘッドフォン２０から導出されたコード２１の先端に設けられたプラグ２２が嵌挿され、これによって、ヘッドフォン２０がリモートコントロール装置３０を介して機器本体部４０と接続される。
【００２２】
リモートコントロール装置３０の筐体３１にはリモートコントロール装置３０を使用者の衣服等に取り付けるための取付手段としてクリップ３５が設けられている。クリップ３５は挟持部３５ａとつまみ部３５ｂとの間に位置された支点部３５ｃで回動自在なるように筐体３１に支持され、図示しない捩じりコイルバネ等の付勢手段によって挟持部３５ａが筐体３１に接触するように付勢されている。
【００２３】
図３に示すように、機器本体部４０の筐体４１内には演算処理部４３が設けられている。演算処理部４３はＣＰＵ（Central Processing Unit）４３ａ、ＲＡＭ（Random-Access Memory）４３ｂ、ＲＯＭ（Read Only Memory）４３ｃ、フラッシュＲＯＭ（Flash ROM）４３ｄ、インターフェース部４３ｅ等によって構成され、機器本体部４０の操作部４４の操作ボタン４４ａ、４４ａ、・・・の操作及びリモートコントロール装置３０の操作に応じて、各部の制御を行うものである。
【００２４】
機器本体部４０の筐体４１の正面には上記した操作部４４の他、液晶表示パネル等の表示手段を備えた表示部６０が設けられており、該表示部６０に各種表示、例えば、現在再生中の曲名、曲名編集中の文字表示等が為される。この表示部６０を始め、上記ヘッドフォンリモコンインターフェース４２、操作部４４、ハードディスク５０は演算処理部４３のインターフェース部４３ｅを介してＣＰＵ４３ａと接続されており、ＣＰＵ４３ａとの間の信号の伝達が為される。
【００２５】
また、ＣＰＵ４３ａ、ハードディスク５０、表示部４４等には電源回路４５から電源が供給される。なお、該電源回路４５とハードディスク５１との間には遮断スイッチ４６が介挿されており、必要に応じて該遮断スイッチ４６が演算処理部４３によって動作されて電源回路４５からハードディスク５０への電源の供給が遮断されるようになっている。
【００２６】
図２で分かるように、ハードディスク５０は、磁気ディスク５１、磁気ディスク５１を回転させるスピンドルモータ５２、先端部に磁気ヘッド５３が構成されたスライダ５４、スライダ５４を回動させる駆動部５５等を備え、磁気ディスク５１を回転させると共に、駆動部５５によってスライダ５４を回動させることによってその先端部の磁気ヘッド５３を磁気ディスク５１の記録面５１ａに近接させた状態で磁気ディスク５１の半径方向に移動させて信号の磁気ディスク５１への書き込み（記録）又は信号の磁気ディスク５１からの読取（再生）を行うようになっている。
【００２７】
上記構成において、例えば、音楽情報の再生を行う場合には、ハードディスク５０からヘッドフォン２０への出力スピードより速いスピードで信号の読取を行い、これを一旦ＲＡＭ４３ｂに保存した上、順次デコードしてアナログの音声信号に変換してヘッドフォン２０へと出力するようになっている。例えば、８分位の長さの曲であれば１０秒ほどでハードディスク５０から読み出すことができる。
【００２８】
使用者は、ヘッドフォン２０を耳にあてがい、リモートコントロール装置３０又は機器本体部４０の操作部４４を操作して、ヘッドフォン２０によって音楽の鑑賞をすることになる。その場合、リモートコントロール装置３０の位置を安定させるために、クリップ３５の挟持部３５ａと筐体３１との間に使用者の衣服の一部を挟み込んで使用することもある。
【００２９】
上記演算処理部４３のＣＰＵ４３ａはリモートコントロール装置３０のコネクタ３３の機器本体部４０の図示しないコネクタからの脱落、ヘッドフォン２０のプラグ２２のリモートコントロール装置３０のジャック３４からの脱落及びクリップ３５の衣服等からの脱落を検知することができるようになっており、これらの何れかを検知したときは、ハードディスク５０の磁気ヘッド５３を退避させるようになっている。この「退避」は磁気ヘッド５３が磁気ディスク５１の記録面５１ａに衝突しない状態にすることであって、例えば、スライダ５４を回動させて磁気ヘッド５３が磁気ディスク５１と対向しない位置（図２の２点鎖線で示す位置参照）に移動させると共に、当該位置でスライダ５４の磁気ヘッド５３を支持している先端部が磁気ディスク５１の記録面５１ａに直交する方向に移動しないようにスライダ５４の先端部を図示しない挟持手段によって挟持したり、或いは、スライダ５４の現在位置でスライダ５４の磁気ヘッド５３を支持している先端部を保持して該先端部が磁気ディスク５１の方へ移動しないようにする等、適宜の方法によって為すことが出来る。
【００３０】
次に、上記オーディオプレーヤー１０におけるヘッドの退避動作がどのようにして為されるのかを図４のフローチャート図を参照して説明する。
【００３１】
先ず、操作部４４又はリモートコントロール装置３０の操作によって音楽の再生が指示されると、指示された曲目の磁気ディスク５１からの読取が開始する（ステップ１（Ｓ１）、そして、読取の開始（ステップ１（Ｓ１））が為されると、リモートコントロール装置３０が機器本体部４０に接続されているか否か、すなわち、リモートコントロール装置３０のコネクタ３３が機器本体部４０のコネクタに接続されているか否かの判断（ステップ２（Ｓ２））が為される。そして、ステップ２（Ｓ２）においてリモートコントロール装置３０が機器本体部４０に接続されている（ＹＥＳ）と判断されたときはステップ３（Ｓ３）に進み、リモートコントロール装置３０が機器本体部４０から外れている（ＮＯ）と判断されたときはステップ４（Ｓ４）に進む。
【００３２】
ステップ３（Ｓ３）ではヘッドフォン２０が機器本体部４０に接続されているか否か、すなわち、ヘッドフォン２０のプラグ２２がリモートコントロール装置３０のジャック３４に嵌挿されているか否かの判断が為される。
【００３３】
そして、ステップ３（Ｓ３）において、ヘッドフォン２０が機器本体部４０に接続されている（ＹＥＳ）と判断されたときはステップ（Ｓ５）に進み、ヘッドフォン２０が機器本体部４０に接続されていない（ＮＯ）と判断されたときはステップ４（Ｓ４）に進む。
【００３４】
ステップ５（Ｓ５）では、クリップ３５が衣服等に取り付けられている状態から外れたか否か、すなわち、クリップ３５の挟持部３５ａがリモートコントロール装置３０の筐体３１と離間している（間に衣服等が介在している）状態から挟持部３５ａが筐体１に接触したか否かの判断が為される。すなわち、クリップ３５によってリモートコントロール装置３０が使用者の衣服等に取り付けられている間は、リモートコントロール装置３０の筐体３１とクリップ３５の挟持部３５ａとによって衣服等を挟んでいるため、クリップ３５の挟持部３５ａとリモートコントロール装置３０の筐体３１との間は衣服等によって遮られて非接触の状態となっている。そこで、例えば、機器本体部４０の落下により、機器本体部４０の重量がクリップ３５にかかると、その重量によってクリップ３５の挟持部３５ａと筐体３１との間から衣服等が相対的に引き抜かれた状態となり、クリップ３５の挟持部３５ａが筐体３１に接触する。演算処理部４３のＣＰＵ４３ａはこのクリップ３５の挟持部３５ａが筐体３１から離間している状態（Ｏｐｅｎ）からクリップ３５の挟持部３５ａが筐体３１に接触した状態（Ｃｌｏｓｅ）への変化を検出するようになっており、変化が無かった判断されたとき（ＮＯ）はステップ６（Ｓ６）に進み、変化があったと判断されたとき（ＹＥＳ）はステップ４（Ｓ４）に進む。
【００３５】
ステップ６（Ｓ６）では指令された内容（操作部４４の操作又はリモートコントロール装置３０の操作によって与えられた内容）、例えば、再生を指示された曲目の磁気ディスク５１からの読取が完了したか否かが判断され、完了であれば（ＹＥＳ）ステップ７（Ｓ７）に進んで磁気ディスク５１からの読取を終了し、読取が完了していなければ（ＮＯ）ステップ２（Ｓ２）に戻る。
【００３６】
ステップ２（Ｓ２）、ステップ３（Ｓ３）及びステップ５（Ｓ５）で判断すべき各状態は、ヘッドフォンリモコンインターフェース４２を経由して演算処理部４３のインターフェース部４３ｅに伝達され、ＣＰＵ４３ａがそれを認識して所定の動作を各部に指示する。
【００３７】
ステップ４（Ｓ４）では磁気ヘッド５３の退避が行われてステップ８（Ｓ８）へ進む。磁気ヘッド５１の退避は上記したように、磁気ヘッドを所定の退避位置へと移動させたり、磁気ヘッド５３が動かないように機械的にロックしたりする退避動作の他、ＣＰＵ４３ａがインターフェース部４３ｅを経由して遮断スイッチ４６を操作してハードディスク５０への電源供給を遮断することによって為しても良い。後者の電源供給の遮断の方法は処理時間が短くて済む利点があり、前者の方法は遮断スイッチ４６が必要ないので、コストを削減することができる。
【００３８】
ステップ８（Ｓ８）では一定の時間、例えば、２秒が経過したか否かの判断が為され、２秒が経過した場合（ＹＥＳ）はステップ９（Ｓ９）に進み、２秒が経過していない場合（ＮＯ）はステップ８（Ｓ８）の判断を繰り返す。この一定の時間は１秒乃至２秒あれば十分である。すなわち、使用者が立っている状態で機器本体部４０を落下させた場合でも、ステップ４（Ｓ４）でのヘッド退避動作が為されてから１秒以上経過しても機器本体部４０が地面や床面に衝突しないということはあり得ず、１秒乃至２秒の間磁気ヘッド５３の退避を行っておけば十分である。また、現在のオーディオプレーヤーにあっては、いわゆる先読みが通常であり、再生する曲目のデータをハードディスク５０から短時間で読み込んでメモリ（例えば、ＲＡＭ４３ｂ）に蓄えておき、これを順次再生していくようになっており、例えば、演奏時間が８分位の長さの曲目のデータであれば１０秒位で読み込むことができる。従って、例えば、使用者がリモートコントロール装置３０を操作しようとして衣服等から外したときに、磁気ヘッド５３の退避が行われても、予めメモリに読み込んでおいたデータを再生することによってそのときに再生されていた曲目の再生が中断してしまうようなことは無い。
【００３９】
ステップ９（Ｓ９）ではハードディスク５０からの読取を再開してステップ２（Ｓ２）に戻る。
【００４０】
上記したように、オーディオプレーヤー１０にあっては、機器本体部４０の落下に伴って生じるヘッドフォン２０と機器本体部４０との間の接続の遮断を検出することによって、ハードディスク５０の磁気ヘッド５３の退避を行うので、落下の検出のために加速度センサを使用する必要が無く、安価な構成によってハードディスクの損傷を回避することができる。また、加速度センサを使用した場合、機器本体部４０の落下の態様によっては、加速度センサに生じる出力は一様ではなく（例えば、自由落下と回転落下では異なる）、また、落下でない場合でも加速度センサの出力に変化が表れることがあり（例えば、使用者が機器本体部４０を振り回したり、上方へ放り投げたりしても落下時の出力に近似した出力が生じる）、それらの相違を見分けるための判定基準の作成や演算が複雑になるが、上記オーディオプレーヤー１０にあっては、そのような面倒が無く、落下を確実に検出して磁気ヘッドの退避を行うことができる。
【００４１】
なお、上記した実施の形態では、ヘッドフォン２０、リモートコントロール装置３０、クリップ３５の３者に関しての状態を検出して磁気ヘッド５３の退避行動を取るようにしたが、ヘッドフォン２０の状態のみの検出によって磁気ヘッド５３の退避行動をとるようにしても良い。
【００４２】
また、上記実施の形態では、ヘッドフォン２０はリモートコントロール装置３０を介して機器本体部４０に接続されるものを示したが、ヘッドフォン２０は直接機器本体部４０に接続するようにしても良い。この場合、リモートコントロール装置３０はあってもなくても良い。
【００４３】
さらに、本明細書において、「ヘッドフォン」の用語は、使用者が直接身に付けて音声を聴くための電気−音響変換手段、例えば、一般にヘッドフォンとか、イヤフォンと称されるもの及びこれら電気−音響変換手段を含む装置、例えば、液晶表示パネル等の表示手段と共にヘッドフォンを組み込んだヘッドマウントディスプレ（Head Mount Display）等も本明細書におけるヘッドフォンの範疇に入るものである。
【００４４】
また、上記した実施の形態では、クリップ３５（取付手段）はリモートコントロール装置３０を衣服等に取り付ける手段として適用したが、ヘッドフォン２０のコード２１を中間部分で衣服等に取り付けるための取付手段として適用しても良い。
【００４５】
さらにまた、上記実施の形態では、本発明をオーディオプレーヤーに適用したものを示したが、本発明はハードディスクを搭載した電子機器、例えば、映像と音声を見るためのビデオプレーヤー、ＰＤＡ（Personal Digital Assistant）等に広く適用することができるものである。
【００４６】
その他、上記実施の形態において示した各部の形状及び構造は、何れも本発明を実施するに際して行う具体化のほんの一例を示したものに過ぎず、これらによって本発明の技術的範囲が限定的に解釈されることがあってはならないものである。
【産業上の利用可能性】
【００４７】
携帯型の電子機器で記憶装置としてハードディスクを備えるものに広く適用することができ、落下によるハードディスクの損傷を防止することができる。しかも、安価に構成することができる。
【図面の簡単な説明】
【００４８】
【図１】図面は本発明携帯型電子機器を実施するための最良の形態を示すものであり、本図は全体構成を示す外観図である。
【図２】機器本体部の概略内部透視平面図である。
【図３】回路構成を示すブロック図である。
【図４】ヘッドの待避動作を示すフローチャート図である。
【符号の説明】
【００４９】
１０  オーディオプレーヤー（携帯型電子機器）
２０  ヘッドフォン
３０  リモートコントロール装置
３５  クリップ（取付手段）
４０  機器本体部
４３ａ  ＣＰＵ（検出手段）（退避手段）（脱落検出手段）
５０  ハードディスク
５１  磁気ディスク
５１ａ  記録面
５３  磁気ヘッド（ヘッド）
【図１】
2005044435.tif 000003
【図２】
2005044435.tif 000004
【図３】
2005044435.tif 000005
【図４】
2005044435.tif 000006